(57)【要約】【課題】非常時に必要とされる飲料水を、飲用に適した状態で備蓄可能な飲料水容器を提供する。【解決手段】  飲料水容器の離間した位置に給水管接続部と給水管受部を設けて、飲料水容器内に給水管接続部から給水管受部に至る給水管を回動可能に固定する。給水管には所定の間隔で噴出孔を設けて水を給水し滞留を防止する。更に噴出孔に被るように整流片を給水管に固定して、噴出された水を平坦な噴流として飲料水容器内に環流を発生させる。長期間の使用により飲料水容器に付着した水垢は、前記給水管を回動させて容器内面全体に噴流をあてて削ぎ落とす。【選択図】図１
2013071772.tif 000002
【特許請求の範囲】
【請求項１】
飲料用の給水管路に装着される飲料水容器において、
前記飲料水容器の容器壁には、前記飲料水容器内に飲料水を給水する給水管の一端が接続される給水管接続部と、前記給水管の他端を受ける給水管受部と、少なくとも１か所の水供給用の供給管接続部とが備えられ、
前記給水管受部と前記給水管接続部とは離間した位置に形成され、
前記給水管は前記給水管接続部と前記給水管受部との間に亘り軸状に延びて支承され、
前記給水管の周壁には所定の間隔で前記飲料水の噴出孔が設けられている、
ことを特徴とする飲料水容器。
【請求項２】
前記給水管がその管軸を中心に回動可能に支承されている、
ことを特徴とする請求項１に記載の飲料水容器。
【請求項３】
前記噴出孔の近傍の前記周壁に、前記給水管軸中心から延びる放射線に対して同一方向に傾斜するように、前記噴出孔に被る整流片が付設されている、
ことを特徴とする請求項１又は請求項２に記載の飲料水容器。
【請求項４】
前記整流片が、噴出された前記飲料水の流れを平坦な水の噴流に整流する板部材である、
ことを特徴とする請求項３に記載の飲料水容器。
【請求項５】
前記給水管接続部又は前記給水管受部の少なくともいずれかは、着脱可能な離間部材を介して前記給水管を前記容器壁から離間させている、
ことを特徴とする請求項１乃至請求項４のいずれか一項に記載の飲料水容器。
【請求項６】
前記給水管接続部又は前記給水管受部の少なくともいずれかは、
外管と内管との二重管からなり、
前記外管は前記容器壁に固着され、
前記内管は、前記離間部材をなし、所定の厚さを有して前記外管に着脱可能に螺合されると共に、前記整流片が付設された前記給水管を挿嵌させ、
前記所定の厚さが、前記内管を離脱させた状態で、前記整流片が付設された前記給水管を前記飲料水容器内に搖動させて挿入可能とする隙間をなす厚さである、
ことを特徴とする請求項５に記載の飲料水容器。
【請求項７】
前記給水管接続部又は前記給水管受部の少なくともいずれかは、
外殻と平板部材とからなり、
前記外殻は、前記飲料水を密封するように前記容器壁に固着され、
前記平板部材は、前記外殻の内方に支保されて前記給水管を前記容器壁から離間させる前記離間部材をなし、
前記平板部材の幅は、前記平板部材を離脱させた状態で、前記整流片が付設された前記給水管を前記飲料水容器内に搖動させて挿入可能とする幅である、
ことを特徴とする請求項５に記載の飲料水容器。
【請求項８】
前記容器壁の天部には空気を流入させて飲料水容器の内圧を調整する圧力調整部が形成され、前記容器壁の下方には前記供給管接続部が設けられている、
ことを特徴とする請求項１乃至請求項７のいずれか一項に記載の飲料水容器。
【請求項９】
前記飲料水容器の上部には水を注ぎ込む水注ぎ部を備え、前記水注ぎ部は開閉可能とされている、
ことを特徴とする請求項１乃至請求項８のいずれか一項に記載の飲料水容器。
【発明の詳細な説明】
【技術分野】
【０００１】
本発明は、密閉式の飲料水容器に関するものである。詳細には、飲料水容器内の水を滞留させず、且つ容器内に人が入らなくても飲料水容器内の清掃が可能な密閉式の飲料水容器に関する。
【背景技術】
【０００２】
地震等において水道水が途絶する場合の対策として、市販飲料水ボトルや水道水を汲み置いた樹脂タンクに水を備蓄することが行われている。しかし、長期間の間放置すると、タンク内の汚損や水の滞留により、タンク内の水は飲用に適しなくなり、非常の災害時には飲用に適さない状態となっていることが多い。こうした事態に備えるため、実開平６−５１１９２号公報には、樹脂タンクに給水側配管と配水側配管とをそれぞれ立設して、エアポンプと逆止弁を装着させた水道水貯蔵タンクの技術が公開されている。
【０００３】
特開２００３−２２１８４８号公報には、逆止弁を介装させて水道水をタンクに流入させ蓄えるとともに、タンク内の水を日常的に出水口から出水して使用するとともに、タンクの底部には大口径の貯留水出水口を設けて、火災時のバケツリレーにも対応できる出水量を流出可能とした貯水タンクの技術が公開されている。
【０００４】
また、特開昭６０−５２７３号公報には、可撓管から圧搾空気を噴出させるタンクの浄化方法の技術が開示されている。この技術による場合には、可撓管が激しく首振り運動されて、タンク内に乱流が発生されてタンク内壁の錆を剥離させ、そして剥離された錆片をタンクの内部壁にあてて、タンク内壁を清掃する。そして底にたまった剥離された錆などを吸入して処理するとされる。
【０００５】
しかしながら、実開平６−５１１９２号公報に開示されている樹脂タンクを給水経路に介在させた場合には、２〜７ｋｇ／ｃｍ２である水道水の高い水圧に耐えられず、樹脂タンクの破裂や漏水が発生する可能性があると共に、非常災害時に飲料水の配給が始まるまでに必要とされる所定の量の水が貯えられないという課題があった。
【０００６】
また、特開２００３−２２１８４８号公報の技術による場合には、タンク内を経由して日常使用される飲料水が供給され、必要な量の新鮮な飲料水がタンク内に貯留可能である反面、一旦、水が使用されない期間が長期間となった場合には飲用に適しない大量の水が滞留し、その水を廃棄しなければならない可能性があった。
【０００７】
また、特開昭６０−５２７３号に開示されているタンクの浄化方法による場合は、浮錆が発生していない飲料水容器では、圧搾空気を噴出させて乱流を発生させても、噴きあてる浮錆がタンク内にないため、付着した水垢を除去できない。
【先行技術文献】
【特許文献】
【０００８】
【特許文献１】実開平６−５１１９２号公報
【特許文献２】特開２００３−２２１８４８号公報
【特許文献３】特開昭６０−５２７３号公報
【発明の概要】
【発明が解決しようとする課題】
【０００９】
前記のいずれの発明による場合であっても、長期間使用した密閉式飲料水容器の内面に付着した水垢等の汚れが清掃できず、非常時に安心して飲料できる水が備蓄できないという課題があった。そこで、本発明は、家庭又は小規模施設の給水管路に装着させ、非常時に必要とされる飲料水を、飲用に適した状態で備蓄可能とする飲料水容器の提供を課題とする。また、内部の飲料水が使用されて空になった場合には、公共により配給された水を備蓄させ、適量ずつ簡易に飲用可能とすることを課題とする。
【課題を解決するための手段】
【００１０】
本発明の第１の発明は、飲料用の給水管路に装着される飲料水容器において、前記飲料水容器の容器壁には、前記飲料水容器内に飲料水を給水する給水管の一端が接続される給水管接続部と、前記給水管の他端を受ける給水管受部と、少なくとも１か所の水供給用の供給管接続部とが備えられ、前記給水管受部と前記給水管接続部とは離間した位置に形成され、前記給水管は前記給水管接続部と前記給水管受部との間に亘り軸状に延びて支承され、前記給水管の周壁には所定の間隔で飲料水の噴出孔が設けられていることを特徴としている。
【００１１】
本発明の第１の発明によれば、飲料水容器内部の給水管は軸状に延びる給水管とされ、その周壁には所定の間隔で噴出孔が設けられている。そして、常に新鮮な飲料水が、所定の間隔で分散配置された噴出孔から飲料水容器内に偏りなく噴出され給水される。これにより、飲料水容器内の水は一部に滞留せず、非常時に新鮮な飲料水を供給することが可能である。ここで、容器壁とは容器の側面及び天面、底面をなす飲料水容器の構成面をいう。
【００１２】
また、飲料水容器の水を排出して容器内部を空にした状態で、前記軸を中心にして飲料水容器内面に給水管から飲料水を噴きあてることにより、長期間の使用により飲料水容器内面に付着した水垢を洗い流すことが可能となる。これにより、飲料水容器が内部に人が入れない大きさの密閉された容器であっても、飲料水容器を分解しないで、人が内部に入らず飲料水容器の内部を清掃することが可能となる。底部に溜まった水垢が混合した汚濁水は、いずれかの開口部から管によって吸い上げて排水することも可能である。しかし、底部に排水孔を設けることにより、容易に全ての汚濁水が排水可能である。
【００１３】
飲料水の噴出孔は、管の周壁に均等な間隔で適宜設けられればよい。また、噴出孔の形状は、円形形状の孔、筋状形状の孔の他、形状に限定はない。飲料水容器内部の水圧が６ｋｇ／ｃｍ２で、直径３．５ｍｍの円形形状の噴出孔の場合には管から約１.５ｍの距離まで水が噴出され、飲料水容器内の容器壁内面が清掃される状態となる。
【００１４】
本発明の第２の発明の飲料水容器は、第１の発明の飲料水容器において、前記給水管がその管軸を中心に回動可能に支承されていることを特徴としている。一旦、飲料水容器内を空にして、前記給水管軸を中心にして前記給水管を回動させながら、噴出孔から水を容器内面に噴きあてる。給水管を回動可能とし噴出孔の数を少なくしているため、外部からの水圧の低下が抑制され、噴出孔からの水の噴出の勢いが低下しない。これにより、飲料水容器内面に付着した水垢に強く水をあてて、内周面全体の水垢を洗い流すことが可能となる。
【００１５】
本発明の第３の発明の飲料水容器は、第１又は第２の発明の飲料水容器において、前記噴出孔の近傍の前記給水管の周壁に、前記給水管軸中心から延びる放射線に対して同一方向に傾斜するように、前記噴出孔に被る整流片が付設されていることを特徴としている。
【００１６】
前記噴出孔に被るように給水管軸中心からの放射線に対して同一方向に傾斜した整流片に沿って水が噴出されるため、容器内に環流が発生され、水の滞留が防止される。整流片は板部材に限定されず、整流面を曲面としてもよい。更に、整流片を噴出孔に向けて凹となるように、緩やかに湾曲させて延ばすことにより、給水管を軸として循環する環流を飲料水容器内に発生させ易く、飲料水容器内の水の滞留が防止される。また、給水管接続部の近傍の噴出孔については、給水管接続部に向けて整流片を傾斜させることにより、給水管接続部の近傍の水垢も洗い流すことが可能となる。給水管受部の近傍の噴出孔についても、給水管受部に向けて整流片を傾斜させることにより、給水管受部の近傍の水垢も洗い流すことが可能となる。
【００１７】
本発明の第４の発明の飲料水容器は、第３の発明の飲料水容器において、前記整流片が、噴出された飲料水の流れを平坦な水の噴流に整流する板部材であることを特徴としている。
【００１８】
前記板部材により、噴出された水は平坦な水の噴流に整流されて飲料水容器に噴出される。これにより、飲料水容器の内面壁に付着した水垢等の汚れを削ぎ落とすように洗い流す。板部材の形状は矩形に限定されず、基部から先方に向けて広くなる台形形状としてもよい。板部材とすることにより、整流片が製作しやすいと共に飲料水容器内に挿入しやすい。
【００１９】
本発明の第５の発明の飲料水容器は、第１から第４の発明の飲料水容器において、前記給水管接続部又は前記給水管受部の少なくともいずれかは、着脱可能な離間部材を介して前記給水管を前記容器壁から離間させていることを特徴としている。
【００２０】
離間部材を離脱させた状態で、給水管が配設される位置と容器壁との間に隙間があく。この隙間から飲料水容器の内部の状況を確認しながら、飲料水容器に給水管を挿入して配置させることが可能である。給水管を所定の位置に配置させたのち、離間部材を装着させて飲料水容器内に給水管を支承させる。これにより、給水管を容易に装着させることが可能となる。
【００２１】
本発明の第６の発明の飲料水容器は、第５の発明の飲料水容器において、前記給水管接続部又は前記給水管受部の少なくともいずれかは、外管と内管との二重管からなり、前記外管は前記容器壁に固着され、前記内管は、前記離間部材をなし、所定の厚さを有して前記外管に着脱可能に螺合されると共に、前記整流片が付設された前記給水管を挿嵌させ、前記所定の厚さが、前記内管を離脱させた状態で、前記整流片が付設された前記給水管を前記飲料水容器内に搖動させて挿入可能とする隙間をなす厚さであることを特徴としている。
【００２２】
第６の発明によれば、前記給水管接続部又は前記給水管受部の少なくともいずれかは、外管と内管との二重管とされ、内管を取り外した状態で、外管の内側と給水管の間には内管の厚さ相当の隙間が形成される。給水管を飲料水容器内に差し込む際に、内管を取り外して前記隙間をあけて、給水管に付設された整流片が前記外管の内側と干渉しないようにすれば、整流片が周壁に付設された給水管であっても飲料水容器に挿入することが可能となる。これにより、整流片が付設されている給水管を容易に飲料水容器内に挿入することが可能である。
【００２３】
本発明の第７の発明の飲料水容器は、第５の発明の飲料水容器において、前記給水管接続部又は前記給水管受部の少なくともいずれかは、外殻と平板部材とからなり、前記外殻は、前記飲料水を密封するように前記容器壁に固定され、前記平板部材は、前記外殻の内方に支保されて前記給水管を前記容器壁から離間させる前記離間部材をなし、前記給水管を前記容器壁から離間させ、前記平板部材の幅は、前記平板部材を離脱させた状態で、前記整流片が付設された前記管を前記飲料水容器内に搖動させて挿入可能とする幅であることを特徴としている。
【００２４】
第７の発明によれば、離間部材である平板部材を離脱させた状態で、平板部材の幅に相当する隙間が形成される。そして、平板部材の幅は、前記平板部材を離脱させた状態で、前記整流片が付設された前記管を前記飲料水容器内に搖動させて挿入可能とする幅とされている。これにより、給水管からの持ち出し長さが長い整流片を付設させた給水管であっても、飲料水容器内に挿入することが可能である。
【００２５】
本発明の第８の発明の飲料水容器は、第１から第７の発明の飲料水容器において、前記容器壁の天部には、空気を流入させて飲料水容器の内圧を調整する圧力調整部が形成され、前記容器壁の下方には前記供給管接続部が設けられていることを特徴としている。
【００２６】
圧力調整部は飲料水容器内の圧力を減圧又は加圧することが可能である。例えば、非常災害時に停電が発生した状態であっても、圧力調整部を開放して飲料水容器内の水圧を外気圧と同一にすれば、下方に設けられた供給管接続部に接続された供給配管から水は自重で流出し、飲料水が供給可能となる。
【００２７】
また、手動式又は動力式の加圧装置で、圧力調整部から空気を流入させて飲料水容器内の圧力を加圧することにより、飲料水容器内で水位が低くなっている状態でも、適切な量の流出量の飲料水を供給することが可能となる。更に、下方に設けられる供給管接続部に接続した供給管の先方の蛇口に浄化手段が装着されて、そのフィルター等によって飲料水を供給する際の抵抗が大きくなっている状態でも、加圧することにより、適切な流出量の飲料水を供給することが可能である。
【００２８】
本発明の第９の発明の飲料水容器は、第１から第８の発明の飲料水容器において、前記飲料水容器の上部には水を注ぎ込む水注ぎ部を備え、前記水注ぎ部は開閉可能とされていることを特徴としている。
【００２９】
本発明の第９の発明の飲料水容器によれば、公共水道が復旧されていない状態において、飲料水容器の上部に形成された水注ぎ部から、非常水の配給車により配給された水を注ぎ込んで、適量ずつ使用できる状態となる。これにより、非常時においても簡易に適量の飲料水の供給が可能となる。
【００３０】
また、本発明の飲料水容器において、供給管接続部には水浄化手段が装着された蛇口が付設されていることとしてもよい。供給管接続部に接続された蛇口に水浄化手段が装着されていることにより、飲料水容器内の水が新鮮な状態でない場合であっても、飲用に適した水が供給可能となる。特に、貯留した配給水や、貯留した雨水を飲用に供給する場合には有利である。
【００３１】
また、本発明の飲料水容器を、飲料用の給水管路の経路の途上に介在させて配設してもよい。これにより、日常において使用した水の量に応じた新鮮な水を飲料水容器内に滞留させないで補給し、非常時でも新鮮な飲料水を飲用することが可能である。
【発明の効果】
【００３２】
本発明の第１の発明によれば、所定の間隔で分散配置された噴出孔から飲料水容器内に、飲料水が偏りなく噴出され給水され、飲料水容器内の水は一部に滞留せず、非常時に新鮮な飲料水を供給することが可能である。また、長期間の使用により飲料水容器内面に付着した水垢を洗い流すことが可能となり、飲料水容器の大きさが内部に人が入れない大きさの密閉された容器であっても、飲料水容器を分解しないで飲料水容器の内部を清掃することが可能となる。
本発明の第２の発明によれば、噴出孔の数を少なくすることにより、一つの噴出孔からの水の勢いを低下させず、飲料水容器内面に付着した水垢に強く水をあてて、内周面全体の水垢を洗い流すことが可能となる。
本発明の第３の発明によれば、前記噴出孔に被るように軸中心からの放射線に対して同一方向に傾斜した整流片に沿って水が噴出されるため、容器内に環流が発生され、水の滞留が防止される。
【００３３】
本発明の第４の発明によれば、給水管から噴出された水は平坦な水の噴流に整流されて、噴出孔から飲料水容器に噴出され、飲料水容器の内面壁に付着した水垢等の汚れを削ぎ落とすように洗い流すことが可能となる。
本発明の第５の発明によれば、離間部材を離脱させた状態で、給水管が配設される位置と容器壁との間に隙間があき、給水管を容易に装着させることが可能となる。
本発明の第６の発明によれば、内管を取り外した状態で、外管の内側と給水管の間には内管の厚さ相当の隙間が形成され、整流片が付設されている給水管を容易に飲料水容器内に挿入することが可能である。
【００３４】
本発明の第７の発明によれば、平板部材を離脱させた状態で、平板部材の幅に相当する隙間が形成され、持ち出し長さの長い整流片を付設させた給水管であっても飲料水容器内に挿入することが可能である。
本発明の第８の発明によれば、圧力調整部が形成され、停電時でも飲料水が供給可能であり、供給管の先方の蛇口に浄化手段が装着されている場合でも、加圧して適切な流出量の飲料水を供給することが可能である
本発明の第９の発明によれば、飲料水容器の上部には水を注ぎ込む水注ぎ部を備え、配給車により配給された水を注ぎ込んで、適量ずつ使用できる状態となる。
【図面の簡単な説明】
【００３５】
【図１】飲料水容器の斜視図（実施例１）
【図２】飲料水容器の平面図（実施例１）
【図３】飲料水容器の底面図（実施例１）
【図４】飲料水容器の断面図（実施例１）
【図５】給水管接続部の断面図（実施例１）
【図６】給水管受部の断面図（実施例１）
【図７】飲料水容器内の水の状態の説明図（実施例１）
【００３６】
【図８】軸交差方向整流片の説明図（実施例１）
【図９】軸方向整流片の説明図（実施例１）
【図１０】軸方向整流片による環流の発生の説明図（実施例１）
【図１１】軸交差方向筋状噴出孔による噴出の説明図（噴出孔の第２実施例）
【図１２】軸方向筋状噴出孔による噴出の説明図（噴出孔の第２実施例）
【図１３】飲料水容器の垂直方向断面図（実施例２）
【図１４】要部断面図（実施例３）
【図１５】給水管と飲料水容器内に発生される環流を説明する斜視図（実施例４）
【図１６】給水管と整流片と水の流れを説明する平面図（実施例４）
【発明を実施するための形態】
【００３７】
飲料水容器内の水を滞留させず、且つ容器内に人が入らなくても飲料水容器内の清掃が可能であるという目的を、容器の内部壁に亘って給水管を延ばして設け、その給水管軸に沿い所定の間隔で設けた噴出孔から水を周囲に噴出させることにより実現した。
【００３８】
（実施例１）
実施例１の飲料水容器は、非常時の数日間に一家族が必要とする量の水を備蓄できる家庭用の非常用飲料水容器であり、略円筒形状容器を立てて使用する。実施例１を、図１から図１０を参照して説明する。図１は実施例１の斜視図、図２は平面図、図３は底面図、図４は図２Ａ−Ａ位置の断面図を示している。図５は給水管接続部の構成、図６は給水管受部の構成を説明する断面図、図７は飲料水容器内の水の状態を説明する説明図である。図８から図１０は整流片の作用の説明図である。
【００３９】
飲料水容器１の本体部は、円筒形状の胴体部２と、胴体部２を塞ぐ天部３と底部４とからなる。底部４には給水管接続部１０と排水管接続部９０とを備え（図３参照）、天部３に給水管受部２０と水注ぎ部５０と圧力調整部６０と供給管接続部７０とを備え、本体部の下方には飲料水浄化手段８２を有する蛇口８１を装着させる供給管接続部８０を備えている。また、本体部内部には底部中央と天部中央とに亘り給水管３０がその給水管軸を中心に回動可能に立設される。
【００４０】
胴体部２は直径５０ｃｍ、長さ５０ｃｍ、厚さ４ｍｍのステンレス製の円筒形状の管からなり、天部３と底部４は高さ約１３ｃｍ、厚さ５ｍｍのステンレス製の椀形状材からなり、胴体部２は天部３と底部４と、その接する部分を溶接されて本体部をなし、その内容量は約１４０リットルとされる。胴体部２の下方外部には、その周囲に山形鋼からなる脚部５が３か所付設され、脚部５にはボルト孔７が設けられた円形形状の座板６が設けられている。また、胴体部の上方には、飲料水容器を設置する隣接した構造物と飲料水容器を繋ぐ転倒防止繋部８が設けられ、飲料水容器はこれらを介してボルト等により前記構造物や飲料水容器の基礎に固定される。
【００４１】
次に図５を参照して給水管接続部１０を詳細に説明する。図５は図３Ａ−Ａ位置の要部断面図である。給水管接続部１０は円筒形状の管からなり、底部４の中央部を上下に貫通した孔１１に挿通され、その周囲を底部と溶接１２により固定される。その内壁には、下方の逆止弁９２と螺合されるねじ溝１４が形成される。逆止弁９２は、給水管接続部１０と止水シール１３を介して給水管接続部１０に装着される。給水管３０はその下方外周に形成されたねじ溝３４により、給水管接続部１０の内部のねじ溝１４に螺合され、給水管軸を中心に回動可能とされている。なお、給水管３０の下方外周には、ねじ溝を形成しないで、給水管接続部１０のねじ溝の内方に回動可能に遊嵌させた状態とするのみでもよい。排水管接続部９０については後述する。
【００４２】
次に図６を参照して給水管受部２０を説明する。図６は図２Ｂ−Ｂ位置の要部断面図である。給水管受部は、外管２１と内管２２の二重の管からなる。外管２１は円筒形状の管からなり、天部３の中央部を上下に貫通した孔２８に挿通して、その周囲を天部と溶接２４により固定される。外管２１の内方には、その軸方向に沿って約４ｍｍの厚さの内管２２が脱着可能に装着される。内管２２の外周と外管２１の内周とには、相互に螺合するねじ溝２３，２５が形成され、内管２２は止水シール２９を介して外管２１に取り外し可能に装着される。また、給水管３０はその上部を閉塞させるように、溶接３５により固着された把持部３４を突出させて、内管２２の内方に給水管軸を中心に回動可能に支承される。前記内管２２を離脱させた状態で、給水管３０と給水管受部２０との間には前記内管２２の厚さの隙間があき、給水管３０が遊嵌された状態となる。
【００４３】
給水管３０は、底部４の給水管接続部から天部３の給水管受部に延びて回動可能な状態で支承される（図４参照）。給水管３０には、その軸方向において約１１０ｍｍ間隔で６か所、直径３．５ｍｍの円形形状の噴出孔が形成される。なお、噴出孔の箇所・噴出孔間の距離・形状は限定されない。更に噴出孔の一部に被るように噴出された水の流れを平坦な流れに整流する整流片が固定されている。整流片は給水管３０の外面から突出幅６ｍｍに形成される。
【００４４】
ここで、給水管３０の挿入と固定について説明する。給水管３０は、前記内管２２を取り外した状態の給水管受部２０の外管２１を通して、本体内部に挿入される。突出高６ｍｍとなっている複数の整流片がその側面に固定された給水管３０を、給水管３０と前記外管２１との間の約８ｍｍの幅の隙間に、整流片が外管２１と干渉しないように揺らして順次通過させる。そして、天部３に設けられた開口である水注ぎ部５０から給水管３０の先端位置を視認して、給水管接続部１０に給水管の下端部を嵌合させて仮固定する。
【００４５】
次に、給水管受部２０の内管２２を、外周ねじ部２５に止水シール２９を巻いた状態で、給水管３０を抱持するようにして上方から給水管３０に挿通させる。そして、前記内管２２の外周ねじ部２５を、止水シール２９を介して前記外管２１のねじ溝２３に螺合させて固定する（図６参照）。次に、前記把持部３４を摘まんで給水管３０をねじ込んで給水管接続部２０に固定して支承する。
【００４６】
そして、給水管３０の上部を前記外管２１から突出させた状態で、前記内管２２の天端に接するように、給水管３０の外周に接する直径のリング状の弾性止水パッキング２６を嵌め込む。そして内部にねじ溝が形成された環状をなす端部蓋２７を、外管２１から突出した状態の内管２２の上部を抱持するように、前記弾性止水パッキング２６を押しつぶすようにねじ込み、給水管３０と内管２２との隙間を止水して、給水管３０から漏水しないように固定する。また、給水管３０は前記端部蓋２７を弛めた状態で、前記把持部３４をスパナ等の工具で摘まんで軸周りに回動することにより、下方の給水管接続部１０とのねじが弛み、回動可能な状態となる。
【００４７】
次に給水管３０の周囲に設けられる噴出孔とそれに被る整流片について図７から図１０を参照して説明する。図７は飲料水容器内における水の噴出を説明する図である。図８は図４Ａ−Ａ位置の位置において給水管軸に交差する方向に平坦な噴流を発生させる整流片を説明する断面図であり、図９は図４Ｂ−Ｂ位置の位置において給水管軸に沿って平坦な噴流を発生させる整流片を説明する断面図である。噴出孔３１，３２，３３は、給水管３０の軸方向に均等な間隔で、本実施例では約１１０ｍｍ間隔で、平面視において、それぞれ位相をずらして設けられ、給水管３０からの水の噴出により飲料水容器内に噴流により環流３０Ａを発生させる（図７参照）。
【００４８】
天部３に向けて噴出する給水管に形成される上から一番目の噴出孔３１（図４参照）は、給水管を平面視した状態で、図８において下方に形成され、胴体部に噴出する二番目から五番目までの噴出孔３３は、上方から順次、左方、上方、右方、下方に形成され、底部４に噴出する六番目の噴出孔３２は上方に形成される（図９参照）。なお、給水管３０裏面及びＢ−Ｂ位置から離間した位置の噴出孔３２と整流片４２は破線で表している。
【００４９】
噴出孔の一部に被る整流片は、その位置により噴出孔に被る方向が異なる。天部３の内方に平坦な噴流をあてる前記一番目の整流片４１の先端は上方に傾斜し、底部４の内方に平坦な噴流をあてる前記六番目の整流片４２の先端は下方に傾斜し、胴体部に平坦な噴流をあてる二番目から五番目までの４か所の整流片４３は、給水管３０の軸心からの放射線に対して同一方向に傾斜して給水管３０に溶接され固定される（図４、図９参照）。
【００５０】
そして、給水管３０に設けられた第二番目から第四番目の噴出孔３３から噴出された水が、前記のように傾斜して固定された整流片４３により平坦な噴流３３Ａとなって飲料水容器壁に向かい、飲料水容器内に図で示す矢印の向き３０Ａの環流を発生させる。
【００５１】
給水管３０の周囲に、位相をずらして噴出孔が形成されているため、噴出孔の数が少なくても略円筒の飲料水容器内に緩やかで均一な環流が生じ、飲料水容器内への給水の際に、飲料水容器内の一部に水の滞留が発生せず、新鮮な水が貯留される。また、噴出孔の数を少なくしているため、飲料水容器への給水の際に圧力が低下しにくく、噴出の勢いが低下しない。
【００５２】
整流片は、横１５ｍｍ、縦８ｍｍ、厚さ２ｍｍの略矩形のステンレス製の板であり、給水管３０からの突出高が６ｍｍとなるように給水管３０に溶接により固定される。また、給水管３０を給水管受部に挿入する際に、前記外管２１の内側に整流片の角隅が接触しないように、外方の角隅が研削されている。図８を参照して、噴出された水を給水管軸に交差する方向に平坦に整流する整流片４１、４２とその作用を詳細に説明する。なお、第二番目から第五番目の整流片を省略し、第六番目の整流片４２を破線で示している。
【００５３】
飲料水容器の上方に位置する第一番目の整流片４１は、給水管の軸に交差する方向に長辺を下方として給水管３０に溶接され、その上方先端が斜め上方に向くように固定されている。下方に位置する第六番目の整流片４２は、給水管の軸に交差する方向に長辺を下方として給水管３０に溶接され、その先端が斜め下方に向くように固定される。円形形状の噴出孔から噴出した水は、第一番目と第六番目の整流片４１，４２にあたり、図に示すように平坦な噴流３１Ａ，３２Ａとなって広がり、天部３と底部４の内面に沿って飲料水容器内に給水される。
【００５４】
第二番目から第五番目の整流片４３について図９を参照して説明する。第二番目から第五番目の整流片４３は、給水管３０軸に沿って長辺が固定され、平面視において位相を順に９０度ずらして設けられた噴出孔３３の孔軸に対して、それぞれ４５度の傾斜角度をなし噴出孔に被るように溶接により固定される。第二番目から第五番目の整流片４３により発生された平坦な噴流３３Ａによる給水管軸の周囲の環流３０Ａ（図７参照）は、障害物が無い略円筒容器内で循環して滞留の発生が防止される。なお、第三番目から第五番目の噴出孔と整流片は破線で示している。
【００５５】
給水管の軸に沿って付設した整流片による平坦な噴流を示した模式図（図１０）を参照して、環流の発生を説明する。給水管の軸心から離間した給水管側面に形成された噴出孔３３から水は噴出され、軸方向に沿った整流片４３にあたって平坦となった噴流は、飲料水容器の内壁に向かう。噴流が飲料水容器にあたる仮想線αは、給水管の軸心からの放射線と所定の角度βにより飲料水容器にあたる。所定の角度βをもって、平坦な噴流が飲料水容器にあたることにより、平坦な噴流は矢印方向γに流れ、環流が発生され飲料水容器内の滞留が防止される。
【００５６】
ここで、図１と図４を参照して、飲料水容器の上部に形成される水注ぎ部５０、圧力調整部６０と供給管接続部７０について簡単に説明する。水注ぎ部５０は飲料水容器の天部３を貫通した孔に挿通して溶接される内径１００ｍｍのステンレス管５１と、その上部を塞ぐ蓋部５２とからなり、該ステンレス管５１の外周に形成されたねじ溝と、前記蓋部５２の内周に形成されたねじ溝とが図示しない止水シールを介して螺合される。この水注ぎ部５０は、非常時に飲料水容器内の水が減り、公共の飲料水配給車から配給された水を飲料水容器内に注ぎ込むために使用される。配給された水を飲料水容器内に一旦貯留すれば、重いポリ容器を持ち上げて水をくみ分けなくてもよく、適当な量の水が容易にくみ分けられる。なお、この水注ぎ部５０から飲料水容器内の状況が視認でき、容器内の点検や給水管３０の接続が容易となる。
【００５７】
圧力調整部６０と供給管接続部７０は、内部にねじ溝が形成された内径１３ｍｍのステンレス製の管が天部３を貫通する孔に挿通され溶接されて形成される。圧力調整部６０には、飲料水容器内外の圧力を調整するための圧力調整手段が装着される。実施例１では、圧力調整部６０に蛇口を装着させ、その蛇口の内方には、自転車タイヤの空気入れ装置の空気噴出部が装着可能とするバルブが付設される（図１参照）。圧力調整部に屈曲させた管を装着させて、前記蛇口を下方に位置させてもよい。自転車タイヤの空気入れ装置は、公共電力が停電した場合であっても身近な加圧手段として加圧可能であり好適であるが、動力式の加圧手段を使用してもよい。
【００５８】
供給管接続部７０にも、蛇口が装着され、庭への散水等の用途に使用される。また、家庭への給水管路に、飲料水容器を介在させて、その供給管接続口から家庭への飲料水を供給してもよい。家庭で使用された水の量に応じて、飲料水容器に水が供給され、飲料水容器内に水が滞留せず常時適量の飲料水が貯留される。
【００５９】
底部に付設される給水管接続部１０（図４参照）は、内部にねじ溝が形成された内径１３ｍｍのステンレス製の管が底部４を挿通して溶接されて形成される。給水管接続部１０の外部には、水の汚れを濾過するストレーナ９１と、飲料水容器の水が逆流することを防止する逆止弁９２とを介して、給水管路からの水供給管９３が接続される。また、給水管接続部１０の近傍に、内部にねじ溝が形成された内径１３ｍｍのステンレス管が排水管接続部９０として溶接して形成され、排水部９４が接続される。
【００６０】
飲料水容器の胴体部２の下方には、胴体部２を挿通して内部にねじ溝が形成された内径１３ｍｍのステンレス製の管が、供給管接続部８０として溶接して形成される。この供給管接続部８０には浄化手段８２が装着可能な蛇口８１が、止水シールを介して螺合されて付設される。天部３に形成された圧力調整部６０から飲料水容器内に空気を流入させ、又は天部３の蛇口を開放することにより、下方の蛇口から水が自重で流出する。流出した水は浄化手段８２を介して供給されるため、水が使用されない状態が継続して、水が滞留していたとしても飲用に適した状態となる。また、圧力調整部６０から飲料水容器内部に空気を流入させ、飲料水容器内の圧力を高めれば、飲料水容器の水位が低下している場合、又は浄化手段８２のフィルターにより流出抵抗が大きくなっている場合でも、適切な流量の水が流出可能である。
【００６１】
ここで、長期間の使用により飲料水容器の内部に付着した水垢等の汚れの除去方法について説明する。実施例１の飲料水容器の内壁の水垢を除去するには、まず給水管接続部１０に付設された逆止弁９２を閉じて、飲料水容器１への水の給水を停止させ、底部４の排水管接続部９０に装着された排水部９４を弛めて、排水部９４から飲料水容器内の水を排水し、飲料水容器内を空にする。次に、給水管受部２０の端部蓋２７を弛めて、給水管３０の把持部３４をスパナ等で把持して弛める。そして、逆止弁９２を開放させて、飲料水容器内に水を流入させて、給水管３０を弛めるようにして、軸心の回りに給水管３０を数回回動させて整流片により平坦とされた水の噴流を飲料水容器内壁にあてて、水垢を削ぎ落とすようにする。
【００６２】
（噴出孔の第２実施例）
ここで、噴出孔の第２実施例を給水管の要部断面を示す図１１、図１２を参照して説明する。図１１は、給水管３０の軸に対して交差する方向に、図に示す矢印方向に平坦な噴流を発生させる実施例である。図１１（Ａ）図は、給水管の軸方向断面図であり図１１（Ｂ）図Ａ−Ａ位置断面図であり、図１１（Ｂ）図は、給水管の軸交差方向断面図であり図１１（Ａ）図Ｂ−Ｂ位置断面図である。噴出孔の第２実施例は、給水管軸に交差する方向に切削加工により、給水管３０の管軸に交差させてスリット状の噴出孔３６を設けた実施例である。スリット状に形成された噴出孔３６から給水管内の水は、図に示す矢印のように斜め上方に平坦な流れとなって噴出する。
【００６３】
また、図１２は、給水管３０軸に沿う方向に、図に示す矢印方向に平坦な噴流を発生させる実施例である。図１２（Ａ）図は、給水管の軸方向断面図であり図１２（Ｂ）図Ａ−Ａ位置断面図であり、図１２（Ｂ）図は給水管の軸交差方向断面図であり、図１２（Ａ）図Ｂ−Ｂ位置断面図である。給水管３０軸に沿う方向に切削加工により、給水管３０に沿ってスリット状の噴出孔３７が設けられている。噴出孔３７から給水管内の水は、図に示す矢印のように給水管に沿って平坦な流れとなって噴出する。
【００６４】
（実施例２）
実施例２は、実施例１よりも大きな容量の飲料水容器の実施例であり、必要な飲料水容量に応じて実施例１の飲料水容器の胴体部の長さを延長して構成している。図１３を参照して実施例２の飲料水容器を説明する。図１３は、実施例２の飲料水容器の垂直方向断面図である。飲料水容器の壁厚を厚くせず、コストの増大を抑えて飲料水容量を拡大している。また、飲料水容器が転倒しないように、円筒軸を水平にして配置している。なお、実施例２の飲料水容器は製造時には円筒軸を立てた状態で給水管３０を通して組み立てて、設置の際に円筒軸を横にして設置する。実施例１と同一の構成の部分については、同一の符号を付して説明を省略する。
【００６５】
実施例２の容器本体は、胴体部２ａと右側面蓋３ａと左側面蓋４ａとからなる。容器本体には、その上部に水注ぎ部５０、供給管接続部７０、圧力調整部６０が付設され、飲料水容器の下方には排水管接続部９０が付設される。給水管接続部１０は右側面蓋３ａの中央部に形成され、給水管受部２０は左側面蓋４ａの中央部に形成される。軸状の給水管３０は右側面蓋３ａから左側面蓋４ａに亘り、実施例１と同様に回動可能とされる。
【００６６】
給水管３０には所望の間隔で整流片４１，４２，４３が噴出孔３１，３２，３３に被るように隣接して形成される。整流片４１は噴出孔３１からの平坦な噴流を左方に向けて噴射するように左側面蓋４ａに向かって傾斜して、整流片４２は噴出孔３２からの平坦な噴流を右側面蓋３ａに向かって噴射するように傾斜して固定される。また、給水管３０の中間部の整流片４３は噴出孔３３に対して、給水管３３の軸に同一方向の平坦な噴流を発生させるように、給水管軸に沿って噴出孔軸に対して傾斜して溶接され固定される。また、噴出孔３３は、軸周りに所定の位相をずらして形成されている点は実施例１と同様である。実施例２の飲料水容器では、給水管３０に給水することにより、前記中間部の整流片により飲料水容器内には図に示すように、給水管軸を取り巻く水平方向の環流３０Ｂが発生して飲料水が滞留しない。
【００６７】
飲料水容器に付着した水垢を除去する際には、実施例１と同様に、一旦、飲料水容器１ａの内部を空にして、下部の排水部９４から内部の水を排出して、給水管接続部１０を介して給水管３０から給水しながら、給水管３０を数回回動させて噴出孔から飲料水容器に水を噴きあてて、飲料水容器１ａ内の水垢を削ぎ落として、排水管接続部９０に接続された排水部から排水し、長期間の使用により容器内壁に付着した水垢を除去し、容器内に人が入らないでも清掃可能である点も、実施例１と同様である。
【００６８】
（実施例３）
実施例３の飲料水容器は、実施例１の飲料水容器とは、天部の構成と整流片の構成とが異なっている。同一の構成の部分については説明を省略する。実施例３では、天部中央から突出された給水管３０の上端部が外殻１００で覆われると共に、整流片４３０の持ち出し長さが長く形成された飲料水容器を、図１４を参照して説明する。図１４は、実施例３の飲料水容器の要部断面図を示している。図１４（Ａ）図は飲料水容器１ｂの上部の垂直方向断面図であり、図（Ｂ）図は、給水管３０の水平方向断面図である。
【００６９】
前記外殻１００は、上方部材１１０と下方部材１２０とからなる。下方部材１２０は厚さ１０ｍｍで内径１００ｍｍのステンレス製の円筒形状の管１２１の上部に厚さ２０ｍｍの環状フランジ１２２が溶接されてなる。下方部材は、前記管１２１の下部が飲料水容器３の天部を貫通して、天部３とその周囲を溶接して固定される。上方部材１１０は、下方部材１２０と同一の断面形状の管１１１からなり、その上端部では椀形状の蓋部材１１３とその周囲が溶接され、その下端部では下方部材と同一の円環状のフランジ１１２とその周囲が溶接される。前記上方部材１１０と下方部材１２０とは、各々のフランジ１１２，１２２に向い合う対応する位置に穿孔された複数のボルト孔１１４，１２４を介して、樹脂製の止水パッキング１３０を挟んで複数のボルト１４０により螺合されて給水管３０の上部を密封する。
【００７０】
離間部材１６０は下方部材１２０の管１２１の内方に着脱可能に格納される平板部材であり、その中央部には給水管の貫通孔が設けられ、その貫通孔に給水管３０を貫通させて、給水管３０を前記管１２１の内壁及び容器壁から離間させている。外殻の上方部材１１０を取り外して、更に離間部材１６０を取り外した状態においては、下方部材の上方から飲料水容器内部に向けて前記管１２１の内方の大きさに対応した開口が開放され、大きな整流片を付設した給水管３０を挿入することが可能になる。
【００７１】
離間部材１６０には、更に外殻１００と飲料水容器内部とを連通させる複数の孔１６１が形成されている。非常時の公共水道の断水時には、外殻下方部材１２０は、上方部材１１０を取り外した状態で、上方から外殻の下方部材のフランジ１２２の開口部を通して配給車により配給された水を注ぎ込むことが可能な飲料水容器の水注ぎ部となっている。
【００７２】
前記下方部材１２０の下端部近傍には、内方の開放部に向けて複数の突片が付設され離間部材受部１５０とされる。離間部材受部１５０は、外殻の下方部材１２０の上方から嵌め込まれた離間部材が飲料水容器内に落ち込むことを防ぎ、離間部材１６０を所定の位置に保持する。
【００７３】
給水管３０には、実施例１と同様に所定の間隔で噴出孔３３０が形成され、噴出孔に被る整流片が設けられる。実施例３においては、外殻の下方部材１２０のフランジの内方開口の大きさに応じた大きさの整流片を差し込むことが可能となり、整流片４３０の大きさを拡大することが可能である。図１４（Ａ），（Ｂ）図を参照して整流片を説明する。整流片４３０の大きさは実施例１に比較して拡大され、実施例３では給水管３０から離間した整流片は、基端部から先方部にかけて幅が広くされ台形形状とされている。
【００７４】
また、水平方向において、整流片４３０の先方部は緩やかに湾曲され、環流を発生させやすいようにされている。なお、飲料水容器の天部に向く整流片４１０も台形形状とされ、天部に向かい傾斜して形成されている。これにより、飲料水容器内に、より滑らかな環流を発生させる。
【００７５】
（実施例４）
実施例４の飲料水容器は、共同住宅や事務所等の施設で使用され、定期的な清掃を要する受水槽の実施例４である。その形状に限定はなく、円筒形状又は直方体形状等で受水槽に適用されている形状であればよい。実施例４の飲料水容器は、内部に人が入らなくても内部壁を清掃することが可能である受水槽であり、飲料水容器の側面壁の全面に平坦な水の噴流を噴出可能とするため、壁に沿って所定の間隔で複数の給水管３０を立設させている。給水管には、上方から給水しても下方から給水してもよい。また受水槽の貯水部は満水としないで、上部に空気層を残し、容器壁が平坦であっても、水圧により容器壁が歪むのを防止している。また減圧弁を付設して給水している場合には、上部の空気層は不要である。
【００７６】
実施例４の飲料水容器の一例を、図１５、図１６を参照して説明する。図１５は、飲料水容器１ｃ内の水と、給水管３０ｂと、飲料水容器内に発生される環流３０Ｃを説明する斜視図である。実施例４の飲料水容器１ｃには複数の給水管３０ｂが、壁から約２０ｃｍの距離で離間した位置に、飲料水容器の側壁に沿って約１ｍの間隔で立設され、上部に空気層９１を残して水が貯水されている。給水管３０ｂは飲料水容器１ｃの上方の給水管受部２０から差し込まれて下方の給水管接続部１０に回動可能に固定される。給水管受部２０と給水管接続部１０の構成は実施例１と同様である。給水管３０ｂには所定の間隔で整流片４２，４３と噴出孔３２，３３が設けられている。なお、給水管３０の最下方の整流片４２は、最下方の噴出孔３２からの噴流を平坦にして下方に向けるように、各々の給水管３０ｂの軸に対して４５度の傾斜角をなして整流片４２の上辺が給水管３０ｂに固定されている。
【００７７】
図１６（Ａ）図は、実施例４の各々の給水管の中間部に設けられた整流片４３による噴流の流れδと、飲料水容器内に発生される環流３０Ｃを説明する平面図である。各々の整流片４３と、それと対をなす噴出孔３３（図７、図１５参照）は、実施例１又は実施例２とは異なり、軸方向に沿って平面視、位相をずらさず形成されている。各給水管３０ｂに形成された夫々の整流片４３により整流された噴出孔（図１５参照）からの噴流δは、発生させる環流３０Ｃと同一の回転方向をなすように近傍の壁に向けて噴出され（図１６（Ａ）参照）環流３０Ｃを発生させ、飲料水容器内には水の滞留域が発生しない。
【００７８】
図１６（Ｂ）図は、給水管３０ｂの回動範囲を説明する平面図である。各々の給水管３０ｂは給水管軸の回りに、実施例１と同様の構成により回動可能に設けられている。飲料水容器１ｃの水を排水し、そして各給水管３０ｂから給水して、その軸周りに一点鎖線で示した範囲において、整流片４３を破線と実線で示した範囲で回動させて、発生させた平坦な噴流を噴きあてて、飲料水容器壁に付着した水垢を削ぎ落とすことが可能となる。なお、飲料水容器の底面については各給水管３０ｂをその軸周りに、少なくとも一回転させることにより、最下方の整流片４２（図１４参照）により発生させる平坦な噴流により、付着した水垢を削ぎ落とすことが可能である。これにより、内部に人が入らなくても飲料水容器内を清掃することが可能である。
【００７９】
（その他の実施例）
・浄化手段としては、逆浸透膜フィルター、微細フィルターや、活性炭フィルター等の公知の浄化手段が単独で、又は組み合わせて使用されればよい。
・加圧手段は、手動式の加圧手段に限定されないことは勿論のことであり、非常用の発電機を備えた施設に本発明の飲料水容器を設置する場合には、電動式の加圧手段がより好適である。
・飲料水容器の材質・形状・寸法・部材の接合方法などは、上記の実施例に限定されないことは勿論のことであり、今回開示された実施の形態は全ての点で例示であって、制限的なものではないと考えられるべきである。本発明の技術的範囲は、上述した説明に限られず特許請求の範囲によって示され、特許請求の範囲と均等の意味及び範囲内での全ての変更が含まれることが意図される。
【符号の説明】
【００８０】
１，１ａ，１ｂ，１ｃ：飲料水容器、２，２ａ：：胴体部、３：天部、４：底部、
３ａ：右側面蓋、４ａ：左側面蓋、５：脚部、６：座板、７：ボルト孔、
８：転倒防止繋部、１０：給水管接続部、２０：給水管受部、３０，３０ｂ：給水管、
１１：孔、１２，２４，３５：溶接、１３：止水シール、
１４，２３，２５，３４：ねじ溝、２１：外管、２２：内管、２６：弾性止水パッキング、
２７：端部蓋、２８：孔、２９：止水シール、３４：把持部、
３１，３２，３３，３６，３７：噴出孔、４１，４２，４３：整流片、５１：管、
５２：蓋部、５０：水注ぎ部、６０：圧力調整部、７０，８０：供給管接続部、
８１：蛇口、８２：浄化手段、９０：排水管接続部、
３０Ａ、３０Ｂ、３０Ｃ：環流、３１Ａ，３２Ａ，３３Ａ：噴流、
９１：空気層、９２：逆止弁、９３：水供給管、９４：排水部、
１００：外殻、１１０：上方部材、１２０：下方部材、１１１，１２１：管、
１１２，１２２：フランジ、１１３：蓋部材、１１４，１２４：ボルト孔、
１３０：止水パッキング、１４０：ボルト、１５０：離間部材受部、１６０：離間部材、
１６１：孔、３３０：噴出孔、４１０，４３０：整流片、
α：仮想線、β：角度、γ：矢印方向、δ：噴流
【図１】
2013071772.tif 000003
【図２】
2013071772.tif 000004
【図３】
2013071772.tif 000005
【図４】
2013071772.tif 000006
【図５】
2013071772.tif 000007
【図６】
2013071772.tif 000008
【図７】
2013071772.tif 000009
【図８】
2013071772.tif 000010
【図９】
2013071772.tif 000011
【図１０】
2013071772.tif 000012
【図１１】
2013071772.tif 000013
【図１２】
2013071772.tif 000014
【図１３】
2013071772.tif 000015
【図１４】
2013071772.tif 000016
【図１５】
2013071772.tif 000017
【図１６】
2013071772.tif 000018